(57)【特許請求の範囲】
【請求項１】
不動層と移動層とに亘って削孔された孔中に間隙を有して配設される緊張材と、
該緊張材の下端部に設けられ不動層に配置される定着体と、
該緊張材の上端部側に設けられ移動層に配置される定着体と、
該移動層の定着体と緊張材の上端部の定着部との間に配設されて緊張後の緊張材の引張り反力を当該移動層の定着体に伝達する支圧パイプと、を少なくとも有してなること、
を特徴とする無受圧版のアンカー。
【請求項２】
緊張材は、緊張材の上端部側に設けられた定着体と、支圧パイプとに遊挿されていること、
を特徴とする請求項１に記載の無受圧版のアンカー。
【請求項３】
地盤に削孔した孔にアンカーを遊挿し、
前記孔とアンカーとの間隙にグラウト材を充填して硬化させ、
前記アンカーにおける緊張材の緊張後の反力を、当該アンカーにおける前記緊張材の上端部側に設けられ移動層に配置される定着体と前記緊張材の上端部の定着部との間に配設される支圧パイプを介して、前記移動層に配置された定着体に伝達させ、地盤の緩みを防止すること、
を特徴とする無受圧版のアンカー工法。
【請求項４】
地盤に移動層から不動層に至る孔を掘削した後に、
緊張材の下端部に設けられ不動層に配置される定着体と、上端部側に設けられ移動層に配置される定着体と、該上端部側に配設される定着体と緊張材の上端部の定着部との間に配設されて緊張後の緊張材の引張り反力を当該移動層の定着体に伝達する支圧パイプとを有してなる緊張材を前記孔中に遊挿し、
前記孔中の間隙にグラウト材を注入して略地表面に至るまで充填し、
前記グラウト材が固化した後に、グラウト材の地表面において露出している前記支圧パイプに支持させて支圧版をセットし、
該支圧版に載置した緊張手段で前記緊張材を緊張させ、
所要の緊張後に緊張材の上端部を定着部材で定着させ、
前記緊張手段を支圧版から撤去すること、
を特徴とする無受圧版のアンカー工法。
【発明の詳細な説明】
【０００１】
【発明の属する技術分野】
本発明は、地盤の緩みやすい傾斜地面の安定や擁壁補強等のために、土中に埋設される永久アンカーとそのアンカー工法に係り、更に詳しくは、引張り材の定着部において、従来における大型の受圧版を無くして簡易な構造でアンカー定着部を形成した無受圧版アンカーとその工法に関する。
【０００２】
【従来の技術】
従来、例えば、傾斜面の安定化のために構築される永久アンカーは、図３に示すように、当該傾斜面の地盤２に格子状等に配設したコンクリート製で所要厚さの平板状の受圧版２０の中心部に、所要の孔径の孔３を削孔し、下端部に不動地盤定着用のマンション及び定着体が配設されると共に上端部に定着用のマンション４ａが固定されてＰＣ鋼より線からなるケーブル４ｂを、合成樹脂製の被覆材で被覆してなる緊張材４を、当該緊張材４の下端部側から先にして前記孔３に挿入する。
【０００３】
前記緊張材４には、間隙を有してスライドパイプ２１が前記定着体と受圧版２０との間に設けられている。孔３の孔壁とスライドパイプ２１，定着体及び緊張材下端部のマンションとの間隙にグラウト材９が注入・充填される。
【０００４】
前記グラウト材９が硬化して所要の強度になった後に、前記受圧版を介して、アンカープレート７ａ上に載置したジャッキ等の緊張手段で前記緊張材の上端部のマンション４ａを、所要強度になるまで引っ張ってケーブルを緊張させ、その状態を維持して当該マンション４ａのネジ部にナット８を締め込んで定着させる。そして、前記ナット８に防錆用キャップ２３を被せて、その中に防錆材２４を充填するものである。
これにより、緊張させた緊張材４の反力で、法面や傾斜面等に一定面積を有し多数配設された受圧版２０が、当該法面を押さえて、地盤２の緩みを防止しているものである。
【０００５】
【発明が解決しようとする課題】
しかしながら、上記従来例の永久アンカーにおいては、法面等の緩みを押さえる受圧版２０が必要であり、該受圧版の製造コストや保管費用が嵩み、遠隔地への運搬や、作業場所の確保が困難な山間地におけるクレーン等での配置工事に工期が長期間となり、更に受圧版が多数配設される法面等における自然の景観が破壊されてしまうという課題がある。本発明に係る無受圧版アンカーとその工法は、このような課題を解消するために提案されるものである。
【０００６】
【課題を解決するための手段】
本発明に係る無受圧版のアンカーの上記課題を解決するための要旨は、不動層と移動層とに亘って削孔された孔中に間隙を有して配設される緊張材と、該緊張材の下端部に設けられ不動層に配置される定着体と、該緊張材の上端部側に設けられ移動層に配置される定着体と、該移動層の定着体と緊張材の上端部の定着部との間に配設されて緊張後の緊張材の引張り反力を当該移動層の定着体に伝達する支圧パイプと、を少なくとも有してなることである。
【０００７】
前記緊張材は、緊張材の上端部側に設けられた定着体と、支圧パイプとに遊挿されていることを含むものである。
【０００８】
本発明に係る無受圧版のアンカー工法の上記課題を解決するための要旨は、地盤に削孔した孔にアンカーを遊挿し、前記孔とアンカーとの間隙にグラウト材を充填して硬化させ、前記アンカーにおける緊張材の緊張後の反力を、当該アンカーにおける前記緊張材の上端部側に設けられ移動層に配置される定着体と前記緊張材の上端部の定着部との間に配設される支圧パイプを介して、前記移動層に配置された定着体に伝達させ、地盤の緩みを防止することである。
【０００９】
また、本発明に係る無受圧版のアンカー工法の要旨は、地盤に移動層から不動層に至る孔を掘削した後に、緊張材の下端部に設けられ不動層に配置される定着体と、上端部側に設けられ移動層に配置される定着体と、該上端部側に配設される定着体と緊張材の上端部の定着部との間に配設されて緊張後の緊張材の引張り反力を当該移動層の定着体に伝達する支圧パイプとを有してなる緊張材を前記孔中に遊挿し、前記孔中の間隙にグラウト材を注入して略地表面に至るまで充填し、前記グラウト材が固化した後に、グラウト材の地表面において露出している前記支圧パイプに支持させて支圧版をセットし、該支圧版に載置した緊張手段で前記緊張材を緊張させ、所要の緊張後に緊張材の上端部を定着部材で定着させ、前記緊張手段を支圧版から撤去することである。
【００１０】
本発明に係る無受圧版のアンカーによれば、緊張材の引張り反力が前記支圧パイプを介して移動層の定着体に伝達され、それによって当該支圧パイプと移動層の定着体とに一体化されたグラウト材が不動層側に圧縮されることになり、孔壁における当該グラウト材の周壁面と移動層の地盤との摩擦力により、地盤の緩みを防止することになる。これによって、従来のコンクリート製等の受圧版が不要となるものである。
【００１１】
本発明に係る無受圧版のアンカーの工法によれば、緊張材の引張り反力が支圧パイプを介して移動層の定着体に伝達されると共に、該定着体の周囲の硬化したグラウト材及び周囲地盤にも伝達され、これによって、地盤における移動層の緩みが防止され、従来の受圧版が不要となるものである。
【００１２】
【発明の実施の形態】
次に、本発明に係る無受圧版のアンカーとその工法について図面を参照して説明する。なお、発明の理解容易のため従来例に対応する部分には従来例と同一符号を付けて説明する。
【００１３】
本発明に係る無受圧版のアンカー１は、図１乃至図２に示すように、地盤２における不動層２ａと移動層２ｂとに亘って削孔された孔３の中に、間隙３ａを有して配設される緊張材４がある。該緊張材４は、例えば、ＰＣ鋼より線からなるケーブルをポリエチレン樹脂等の合成樹脂製の被覆材で被覆され、アンボンドタイプにして形成されてなる。なお、前記被覆材をＰＣ鋼より線と一体化させてなる緊張材にする場合には、該緊張材の被覆材の外側にスライドパイプ等の保護管を遊嵌させるようにするものである。
【００１４】
前記緊張材４の下端部には、図２に示すように、例えば、鋼製の有底筒体で端部にネジ部４ｃを設けたマンション４ｄが固着されている。更に、前記マンション４ｄよりも地表面側に近い位置に、不動層２ａに配置される金属製で外表面に凹凸部５ａのある定着体５ｂが当該緊張材４に遊嵌されている。これら下端部のマンション４ｄと不動層２ａに配置される定着体５ｂとが、後述のグラウト材により、地盤の不動層２ａと一体にされるものである。
【００１５】
緊張材４の上端部側には、図１に示すように、移動層２ｂに配置される定着体５が、緊張材４に遊嵌されている。この定着体５は、前記不動層２ａに配置される前記定着体５ｂと同じものである。なお、定着体５，５ｂの長さや外径寸法などは、地盤２の状況によって適宜設定される設計事項である。
【００１６】
移動層２ｂの定着体５と緊張材４の上端部の定着部Ａとの間には、支圧パイプ６が、緊張材４に遊嵌して配設されている。該支圧パイプ６は、金属製（例えば鋼製）の筒体である。この支圧パイプ６の下端部が前記定着体５の端部に当接して係合し、該支圧パイプ６の上端部が略地表面に露出するように、その長さが設定される。
【００１７】
前記支圧パイプ６の上端部には、支圧版７が係止されている。この係止構造は、例えば、支圧パイプ６の端部に形成したネジ部と支圧版７側のネジ部とによる、ネジ結合によってなるものである。また、支圧版７は、前記支圧パイプ６の外径寸法より大きく、かつ、孔３径の寸法（例えば、一例として直径１１５ｍｍ〜１４６ｍｍ）より若干大きい（例えば、一例として直径１５０ｍｍ〜２５０ｍｍ程度）ものである。従来の受圧版（略２ｍ四方）に比較して遥かに小さいものである。
【００１８】
前記支圧版７から緊張材４の上端部のマンション４ａの一部が外部に突出している。このマンション４ａは、前記不動層２ａ側のマンション４ｄと同じ構造のものであって、端部にネジ部４ｃが設けられている。
【００１９】
前記マンション４ａのネジ部４ｃには、定着用のナット８が螺装される。このナット８と支圧版７とにより、定着部Ａが形成される。
【００２０】
前記孔３の間隙３ａには、グラウト材９が圧入され、略地表面に達するまで充填されて固化される。なお、このグラウト材９は、不動層２ａと移動層２ｂとに亘って一体化されている場合と、不動層２ａ側の間隙３ａに一次圧入・充填して固化させた後、移動層２ｂ側の間隙３ａに二次圧入・充填して固化させて、不動層側のグラウト材９と移動層側のグラウト材９との縁を切って形成した場合とがある。
【００２１】
以上のようにしてなる本発明に係る無受圧版のアンカーの工法を説明する。まず、地盤２に移動層２ｂから不動層２ａに至る孔３を削孔する。そして、孔壁の崩落を防止するケーシング（図示せず）を孔３に挿入する。
【００２２】
緊張材の下端部に設けられ不動層２ａに配置される定着体と、上端部側に設けられ移動層２ｂに配置される定着体５と、該上端部側に配設される定着体５と緊張材の上端部の定着部Ａとの間に配設されて緊張後の緊張材４の引張り反力を当該移動層２ｂの定着体５に伝達する支圧パイプ６とを遊嵌して有する緊張材４からなるアンカー１を前記孔３中に遊挿する。
【００２３】
次ぎに、グラウト注入装置（図示せず）により、グラウト材９を不動層２ａの間隙３ａに所要の圧力を印可して注入し充填する。この注入作業と同時に前記ケーシングをグラウト注入量に合わせて地表側に引き抜く。グラウト材が孔壁に存在することのある亀裂部にも十分充填され拡径するように、グラウト材９を圧入するものである。
【００２４】
続いて、ケーシングを引き抜きながら、移動層２ｂの間隙３ａにグラウト材９を孔壁の亀裂部にも十分充填されるように圧入し、略地表面まで充填する。
【００２５】
前記グラウト材９が固化した後に、支圧パイプ６の端部に支圧版７を、例えばネジ結合により係止させる。そして、定着用のナット８をマンション４ａのネジ部４ｃに仮止めさせておく。
【００２６】
前記支圧版７に、若しくは、支圧版７に別体のジャッキプレートをセットし、その上に緊張手段としてのセンターホール型ジャッキ１０をセットする。該ジャッキ１０のロッド１０ａと前記マンション４ａとの対向端部に、両者を連結するカプラー１１を取り付ける。
【００２７】
前記ジャッキ１０で前記マンション４ａを所要強度で引っ張る。当該ジャッキ１０の引張力により、緊張材４のＰＣ鋼より線が伸ばされ、その移動した分だけ、ナット８を支圧版７に向かって締め込んで緊張材４を定着する。その後、当該ジャッキ１０を支圧版７から取り外して撤去する。
【００２８】
これにより、緊張材４の引張りによる反力が、定着部Ａから支圧パイプ６を介して定着体５に伝達され、周囲のグラウト材９及び移動層２ｂの地盤が不動層２ａ側に圧縮され、地盤２にこのような無受圧版のアンカー１を多数設置することで、当該地盤２の移動層２ｂにおける緩みが防止されるものである。
【００２９】
【発明の効果】
以上説明したように、本発明に係る無受圧版のアンカーは、不動層と移動層とに亘って削孔された孔中に間隙を有して配設される緊張材と、該緊張材の下端部に設けられ不動層に配置される定着体と、該緊張材の上端部側に設けられ移動層に配置される定着体と、該移動層の定着体と緊張材の上端部の定着部との間に配設されて緊張後の緊張材の引張り反力を当該移動層の定着体に伝達する支圧パイプと、を少なくとも有してなるので、前記支圧パイプが緊張材の反力を移動層の定着体に伝達することで、従来の受圧版によって地盤を押さえる方法に替えて、グラウト材を介して地盤を圧縮し緩みを防止するようになり、受圧版が不要となってコストの低減や工期短縮となるばかりでなく、自然の景観が破壊されることがなく、人工造した後でも自然に近い形に容易に再生することができるという優れた効果を奏するものである。
【００３０】
本発明に係る無受圧版のアンカー工法は、地盤に削孔した孔にアンカーを遊挿し、前記孔とアンカーとの間隙にグラウト材を充填して硬化させ、前記アンカーにおける緊張材の緊張後の反力を、当該アンカーにおける前記緊張材の上端部側に設けられ移動層に配置される定着体と前記緊張材の上端部の定着部との間に配設される支圧パイプを介して、前記移動層に配置された定着体に伝達させ、地盤の緩みを防止する工法なので、従来の受圧版が不要となって、前記支圧パイプにより定着体とグラウト材とにより移動層の地盤の緩みを抑えることになり、コスト低減となり工期の短縮ともなるという優れた効果を奏するものである。
【図面の簡単な説明】
【図１】本発明に係る無受圧版のアンカー工法の説明図である。
【図２】同本発明に係る無受圧版のアンカーの概略構成を示す正面図である。
【図３】従来例に係る永久アンカーの一部実施状態の説明図である。
【符号の説明】
１  無受圧版のアンカー、２  地盤、２ａ  不動層、２ｂ  移動層、
３  孔、３ａ  間隙、４  緊張材、４ａ，４ｄ  マンション、
４ｂ  ケーブル、４ｃ  ネジ部、５，５ｂ  定着体、６  支圧パイプ、
７  支圧版、８  ナット、９  グラウト材、１０  ジャッキ、
１１  カプラー、２０  受圧版。
【図１】
0004318340.tif 000002
【図２】
0004318340.tif 000003
【図３】
0004318340.tif 000004